(57)【特許請求の範囲】
【請求項１】
糸調子により張力を付与された上糸が、天秤糸案内の糸ガイド部（１ｂ、２ｂ）及び天秤（５）を介して針に供給される２本針ミシンにおいて、
その両側に突出部を有するとともに、この突出部の軸心方向長さが異なるスペーサー（２１、２２、２５、２６、２７）を備え、
前記複数の天秤糸案内（１、２）は、前記スペーサーを介してその基端部が積み重ねられるとともに、
前記複数の天秤糸案内（１、２）間に、前記複数のスペーサーの短部側突出部（２１ａ、２２ａ、２６ａ、２７ａ）が互い違いに装着され、
且つ、前記天秤糸案内は、複数のネジ（１９、２０）で調節自在に固定されることを特徴とする二本針ミシンの天秤糸案内装置。
【請求項２】
請求項１記載の二本針ミシンの天秤糸案内装置において、
前記複数のスペーサーは一体化され、単一の部材として前記複数の天秤糸案内間に装着されることを特徴とする二本針ミシンの天秤糸案内装置。
【請求項３】
請求項１記載の二本針ミシンの天秤糸案内装置において、
前記複数のスペーサー（２１、２２）は、同一な２個の部材よりなることを特徴とする二本針ミシンの天秤糸案内装置。
【発明の詳細な説明】
【０００１】
【発明の属する技術分野】
この発明は、２本の上糸の天秤糸取り量を調整する、二本針ミシンの天秤糸案内装置に関するものである。
【０００２】
【従来の技術】
従来の本縫い二本針ミシンの天秤糸案内１、２は、図７、図８に示すように、糸調子板３の上に、天秤糸案内基端部１ａ，２ａが直接積み重ねられて、１個のネジ４で固定されていた。この天秤糸案内１、２の基端部にはそれぞれ長穴１ｃ，２ｃが形成されており、天秤糸案内１、２は図示Ｘ方向に調整可能である。
また、２個の糸巻き（図示省略）からの左針用上糸Ｓ（左糸）、右針用上糸Ｔ（右糸）は各々補助糸調子、糸調子、糸案内、天秤糸案内１、２、天秤５、を経由した後、左右針６、７の針孔に通される。
【０００３】
天秤５は図示実線位置（上死点）から点線位置（下死点）まで、主軸に連動して上下動される。右針用上糸Ｔにおいて、この天秤５が上死点に位置する時、天秤糸案内の糸ガイド部２ｂから天秤５に至る上糸の長さがＴ１であり、天秤５が下死点に位置する時、上糸の長さがＴ２である。そして、この上糸長さの差（Ｔ１−Ｔ２）が天秤糸取り量になる。この天秤糸取り量は、上糸Ｓ，Ｔが釜の周囲を回るのに必要な糸長さである。そして、上糸Ｓ，Ｔが釜の周囲を回る時、天秤５は下降して上糸を供給し、釜から上糸がはずれた瞬間、天秤５は上昇してそのたるみを瞬時に取ることが要求されている。
【０００４】
しかし、ミシンの高速化に伴い釜回転速度も高速化されたが、この釜回転速度に追従できる天秤運動位相を与える天秤運動機構は実現されていない。特に、釜から上糸がはずれた瞬間、そのたるみを瞬時に取ることが困難であった。
このため、予め設定された天秤運動位相で、ミシン運転速度を高速領域で運転する場合、上糸のたるみが取りきれないために縫目締まり不良が発生した。この縫目締まり不良を改善するために、天秤糸取り量を調整すること、すなわち、天秤糸案内１、２の設定位置を調整することが必要であった。
【０００５】
【発明が解決しようとする課題】
上記従来の天秤糸案内１、２の設定位置を調整する場合、ネジ４をゆるめて、天秤糸案内１、２を左右方向の所定位置に移動した後、ネジ４で固定する。
そして、２つの天秤糸案内１、２の移動は、左右糸Ｓ，Ｔの天秤糸取り量をそれぞれ調整する。
【０００６】
しかし、ネジ４をゆるめると、天秤糸案内１、２はネジ４を支点としてＺ方向に回動するため、天秤糸案内１、２の調整が難しかった。また、形成された縫い目を考慮して、左右糸の一方の天秤糸取り量のみ調整しようした場合、一方の天秤糸案内１だけ移動・調整しようとして、誤って他方の天秤糸案内２を移動させることが多く発生した。
【０００７】
このように、従来の二本針ミシンの２つの天秤糸案内１、２の設定位置を調整することは、作業者にとって誤調整が起き易く、調整が短時間に終わらなかった。
そこで、本発明は上記従来の問題点を解決するためになされたものである。
２つの天秤糸案内を備える二本針ミシンにおいて、その天秤糸案内の調整が容易で且つその調整を短時間に終わらせることができる二本針ミシンの天秤糸案内装置を提供することを第１の目的とする。
【０００８】
また、部品の共通化を行うことにより、コストを低くすることができる、二本針ミシンの天秤糸案内装置を提供することを第２の目的とする。
【０００９】
【課題を解決するための手段】
上記課題を解決するため、請求項１記載の発明は、
糸調子により張力を付与された上糸が、天秤糸案内の糸ガイド部（１ｂ、２ｂ）及び天秤（５）を介して針に供給される２本針ミシンにおいて、
その両側に突出部を有するとともに、この突出部の軸心方向長さが異なるスペーサー（２１、２２、２５、２６、２７）を備え、
前記複数の天秤糸案内（１、２）は、前記スペーサーを介してその基端部が積み重ねられるとともに、
前記複数の天秤糸案内（１、２）間に、前記複数のスペーサーの短部側突出部（２１ａ、２２ａ、２６ａ、２７ａ）が互い違いに装着され、
且つ、前記天秤糸案内は、複数のネジ（１９、２０）で調節自在に固定される構成とした。
また、請求項２記載の発明は、
請求項１記載の二本針ミシンの天秤糸案内装置において、
前記複数のスペーサーは一体化され、単一の部材として前記複数の天秤糸案内間に装着される構成とした。
また、請求項３記載の発明は、
請求項１記載の二本針ミシンの天秤糸案内装置において、
前記複数のスペーサー（２１、２２）は、同一な２個の部材よりなる構成とした。
【００１４】
【発明の実施の形態】
本発明を適用した、二本針ミシンの天秤糸案内装置を図１〜図４に基づき説明する。
図１は本発明の第１実施形態の正面図、図２は図１の糸調子板上部拡大図、図３は図２天秤糸案内側面図、図４は図３の部品分解図である。
【００１５】
従来技術ですでに説明したものと同一なものは、同一符合を付し、ここでの説明は省略する。
符合１１、１２はミシンア−ム上部に突設された第１糸案内であり、図示省略した２個の糸巻きからの左右糸が別々に通される。また、ミシンア−ムの正面には糸調子板３が固定されている。そして、第１糸案内１１、１２を通された左右糸Ｓ，Ｔは糸調子板３の上に配置された２つの補助糸調子１３、１４、２つの糸調子１５、１６、２つの第２糸案内１７、１８、及び第３糸案内２２を通される。この第３糸案内２２を通された左右糸は、左糸用天秤糸案内１、右糸用天秤糸案内２に通された後、天秤５及び第４糸案内２３を介して、左右針６、７の針穴にそれぞれ通される。
【００１６】
天秤５には左右糸用に別々の糸通し穴が形成されているがこの穴は接近している。このため、天秤糸案内１、２の設定位置が接近している場合、天秤糸案内から天秤までの左糸と右糸との糸長さは、ほぼ同一である。
次に、図２〜図４に基づき、天秤糸案内装置Ｇに付いて説明する。
この天秤糸案内装置Ｇは、左糸用天秤糸案内１、右糸用天秤糸案内２、左糸用スペ−サ−２１、右糸用スペ−サ−２２、固定ネジ１９、２０により構成される。  なお、左糸用天秤糸案内１と右糸用天秤糸案内２、左糸用スペ−サ−２１と右糸用スペ−サ−２２と、固定ネジ１９と固定ネジ２０とは、同一部品であるので一方のみ説明し、他は省略する。
【００１７】
左糸用天秤糸案内１は、板状の基端部１ａと、その先端側を折り曲げて長穴状に形成された糸ガイド部１ｂと、図示Ｘ方向に沿って、基端部に形成された長穴１ｃとを有している。同じように、右糸用天秤糸案内２は、基端部２ａと、糸ガイド部２ｂと、長穴２ｃとを有している。
左糸用スペ−サ−２１は、スペ−サ−軸心方向Ｗに沿って形成された貫通穴２１ｄと、本体部２１ｂと、この本体部の両端に形成された短部側突出部２１ａと、この短部側突出部２１ａよりその軸心方向Ｗの長さが長い長部側突出部２１ｃと、を有している。
【００１８】
そして、この短部側突出部２１ａの軸心方向高さｈは、糸案内基端部厚さｔより例えば０．５ｍｍ程小さい。
また、短部側突出部２１ａ外径と長部側突出部２１ｃ外径とは、天秤糸案内１、２の各長穴１ｃ，２ｃより小さい。また、本体部２１ｂの外径は天秤糸案内１、２の各長穴１ｃ，２ｃより大きく形成されている。このため、この突出部に支持された天秤糸案内１、２は、長穴１ｃ，２ｃに沿って摺動自在である。
【００１９】
また、同様に右糸用スペ−サ−２２は、貫通穴２２ｄ、本体部２２ｂ、短部側突出部２２ａ、長部側突出部２２ｃとを有する。
この天秤糸案内装置Ｇは、糸調子板３に形成したネジ穴３ａ，３ｂに左糸用天秤糸案内の長穴２ｃを合わせて載置した後、そのネジ穴３ａ，３ｂとスペ−サ−の貫通孔２１ｄ，２２ｄとが一致するように左糸用スペ−サ−２１、右糸用スペ−サ−２２を互い違いに置く。
【００２０】
この互い違いとは、左糸用天秤糸案内の長穴２ｃに、左糸用スペ−サ−２１の長部側突出部２１ｃと右糸用スペ−サ−２２の短部側突出部２２ａが係合するように部品の前後を交互に置くことを意味する。
この互い違いに置かれた左糸用スペ−サ−２１、左糸用スペ−サ−２２の両突出部が、左糸用糸案内の長穴１ｃに係合するように左糸用糸案内１を載置する。そして、固定ネジ１９、２０を糸調子板ネジ穴３ａ，３ｂにねじ込んで、天秤糸案内装置Ｇを固定する。
【００２１】
次に、この天秤糸案内装置Ｇの天秤糸取り量の調整、すなわち、左右天秤糸案内１、２の設定位置を調整する操作について説明する。
この天秤糸案内装置は、左糸Ｓの天秤糸取り量を調整する場合、天秤糸案内１の設定位置を調整し、右糸Ｔの天秤糸取り量を調整する場合、天秤糸案内２の設定位置を調整する。この調整方法は天秤糸案内１、２ともに同様なので、天秤糸案内１の設定位置を調整する操作について説明する。
（なお、天秤糸案内装置Ｇは、固定ネジ１９、２０により既に糸調子板３に固定されているものとする。）
最初に固定ネジ１９をゆるめる。固定ネジ１９をゆるめても、天秤糸案内１の長穴１ｃには、左糸用スペ−サ−の短部側突出部２１ａと右糸用スペ−サ−の長部側突出部２２ｃが係合している。そして、天秤糸案内１は２個の軸（突出部２１ａ，２２ｃ）に支持されているので回動することができない。また、固定ネジ２０はネジ締めされた状態なので、天秤糸案内１は固定ネジ２０と左糸用スペ−サ−の本体部２１ｂとの間にガイドされるので、スペ−サ−軸心方向Ｗへの移動が制限される。
【００２２】
このため，２個の軸（突出部２１ａ，２２ｃ）に支持されている、天秤糸案内１はその長穴中心線に沿った、水平一方向（Ｘ方向）のみ移動可能である。
また、この天秤糸案内１の設定位置の調整時、固定ねじ２０は締めたままの状態で行うので、天秤糸案内１のＸ方向の移動に伴い、天秤糸案内２が移動することがない。
【００２３】
そして、作業者は、天秤糸取り量増減を考慮して、天秤糸案内１を所定量Ｘ方向に移動した後、固定ねじ１９を締めて調整を終了する。
天秤糸案内２の設定位置を調整する場合、固定ネジ２０をゆるめて行う。この調整する場合の作用・効果についは、上記した天秤糸案内１と同様に固定ネジ２をゆるめると、天秤糸案内２だけがＸ方向に移動可能である。
【００２４】
第１実施形態の二本針ミシンの天秤糸案内装置Ｇによれば、２個の固定ネジ１９、２０で糸調子板３に、それぞれ固定されている左右天秤糸案内１、２は、一方の固定ネジ１９をゆるめれば左天秤糸案内１だけが移動可能である。また、他方の固定ネジ２０を緩めれば他方の右天秤糸案内２だけが移動可能である。このため２本の上糸Ｓ，Ｔの糸取り量を調整する、天秤糸案内１、２の設定位置を個別に調整することができるので、調整作業が容易で且つ調整時間が短縮される。
【００２５】
また、２つの天秤糸案内１、２は、スペ−サ−２１、２２を介して、その基端部１ａ，２ａが積み重ねられている（Ｗ方向投影面が重複している）ので、２つの天秤糸案内の糸ガイド部１ｂ，２ｂは接近したり、一方向（スペ−サ−軸心方向；Ｗ方向）に重ね合わせることもできる。このため、天秤糸案内１、２の調整範囲が広がる。また、２つの天秤糸案内１、２間の左右位置調整量と天秤糸取り量の変化が一定である。
【００２６】
また、固定ネジ１９、２０の一方を緩めれば１つの天秤糸案内だけが移動可能である。この移動可能な天秤糸案内は、スペ−サ−突出部２１ａ，２２ｃまたは２１ｃ，２２ａに摺動可能に支持されているので、水平一方向（Ｘ方向）のみ移動可能である。このため、より調整作業が容易で且つ調整時間が短縮される。
また、同一部品のスペ−サ２１、２２を互い違いに、２個の天秤糸案内１、２の間に装着するので、部品の共通化が図られ、コストを低減することができる。
【００２７】
本発明は上記第１実施形態に限定されることなく種々変更可能である。
例えば、第１実施形態では、同一部品である２個のスペ−サ−２１、２２を互い違いに２個の天秤糸案内１、２間に装着したが、これに代えて、図５に示す一個のスペ−サ−２５を装着することも容易に考えられる。この第２スペ−サ−２５は第１実施形態のスペ−サ−２１、２２の本体部を所定長さの肉厚２５ｃを持たせて一体化したものであり、樹脂射出成形や金属射出成形等により形成される。このスペ−サ−２５の貫通穴２５ａ，２５ｂの中心間距離と、糸調子板ネジ孔３ａ，３ｂの中心間距離は一致する。このスペ−サ−２５を用いても第１実施形態と同様な作用効果を奏する。
【００２８】
また、第１実施形態では、同一部品である２個のスペ−サ−２１、２２を互い違いに２個の天秤糸案内１、２間に装着したが、これに代えて、図６に示すスペ−サ−２６、２７を装着することも容易に考えられる。このスペ−サ−２６、２７は、軸心方向（Ｗ方向）の全長と、短部側突出部長さ２６ａ，２７ａは同一であるが、長部側突出部長さ２６ｃ，２７ｃのみが異なる。このような別部品スペ−サ−２６、２７を用いても第１実施形態と同様な作用効果を奏する。
【００２９】
【発明の効果】
以上のように請求項１、２記載の二本針ミシンの天秤糸案内装置によれば、２個のネジで固定されている２つの天秤糸案内は、一方のネジを緩めれば１つの天秤糸案内だけが移動可能であり、他方のネジを緩めれば他方の天秤糸案内だけが移動可能である。このため、２本の上糸に対して、個別に天秤糸案内を調整することができるので、調整作業が容易で且つ調整時間が短縮される。
【００３０】
また、２つの天秤糸案内は、スペ−サ−を介して、その基端部が積み重ねられているので、２つの天秤糸案内の糸ガイド部は接近したり、一方向に沿って重ね合わせることもできる。このため、天秤糸案内の調整範囲が広がる。また、２つの天秤糸案内の左右位置調整量と天秤糸取り量の変化がほぼ一定であるので、より調整が容易になる。
【００３１】
また、請求項３記載の二本針ミシンの天秤糸案内装置によれば、同一部品のスペーサーを互い違いに、２個の天秤糸案内の間に装着するので、部品の共通化が図られ、コストを低減することができる。
【図面の簡単な説明】
【図１】本発明の第１実施形態の正面図
【図２】図１の糸調子板部拡大図
【図３】図２の天秤糸案内側面図
【図４】    図３の部品分解図
【図５】他の実施形態の一体型スペ−サ−
【図６】他の実施形態のスペ−サ−
【図７】    従来の二本針ミシンの天秤糸案内
【図８】図７の側面図
【符号の説明】
Ｓ−−−−−−−上糸
Ｔ−−−−−−−上糸
１ｂ−−−−−−天秤糸案内の糸ガイド部
２ｂ−−−−−−天秤糸案内の糸ガイド部
５−−−−−−−天秤
２１−−−−−−スペ−サ−
２２−−−−−−スペ−サ−
２５−−−−−−スペ−サ−
２６−−−−−−スペ−サ−
２７−−−−−−スペ−サ−
１９−−−−−−ネジ（固定ネジ）
２０−−−−−−ネジ（固定ネジ）
【図１】
0004050401.tif 000002
【図２】
0004050401.tif 000003
【図３】
0004050401.tif 000004
【図４】
0004050401.tif 000005
【図５】
0004050401.tif 000006
【図６】
0004050401.tif 000007
【図７】
0004050401.tif 000008
【図８】
0004050401.tif 000009